(57)【特許請求の範囲】
【請求項１】
健康状態情報を検出する健康状態情報検出部と健康状態情報を送信する送信部とからなる計器本体部に腕バンドが設けられている健康状態情報検出計器と、電力量計に設けられて前記健康状態情報検出計器から送信された健康状態情報を一時的に保存すると共に前記電力量計の自動検針に用いられるコンピュータ部と、介護センターに設けられかつ前記コンピュータ部の記憶部に一時的に保存されている健康状態情報を受け取って健康状態を解析する解析装置とからなり、前記電力量計には前記コンピュータ部からの健康状態情報を電話交換網を通じて送信する送受信装置が設けられている介護システム。
【請求項２】
請求項１において、前記電力量計が設けられている建物の室内に、前記健康状態情報検出計器から送信された健康状態情報を受信して前記コンピュータ部に向かって送信する送受信器が設けられている介護システム。
【請求項３】
請求項１において、前記健康状態情報検出計器は定期的に前記健康状態情報を前記コンピュータ部に向けて送信し、前記コンピュータ部は前記定期的に送信された健康状態情報を前記記憶部に蓄積して、該健康状態情報の蓄積個数が所定値を越えると、前記介護センターに向けて前記記憶部に蓄積された健康状態情報を送信すると共に、前記記憶部に保存される健康状態情報をクリアすることにより更新することを特徴とする介護システム。
【請求項４】
請求項１又は請求項３において、前記解析装置がパーソナルコンピュータであり、該パーソナルコンピュータから前記送受信装置に健康状態情報取得用のエージェントプログラムを送り、該エージェントプログラムによって前記コンピュータ部に保存されている健康状態情報を取得すると共に、前記記憶部に保存されている健康状態情報をクリアすることを特徴とする介護システム。
【請求項５】
請求項１において、前記健康状態情報検出器は、血圧情報、脈拍情報、腕の振り数情報、歩数情報の少なくも一つ以上を検出することを特徴とする介護システム。
【請求項６】
請求項１において、前記健康状態情報が歩数情報であり、前記コンピュータ部が高齢者の夜の平均歩数を演算する演算手段と、夜の時間帯に前記コンピュータ部に送信されて来た歩数と前記平均歩数との差が所定値を越えたとき、高齢者が戸外に出たと判断する判断手段とを有し、前記コンピュータ部は前記歩数情報を介護センターに向けて送信することを特徴とする介護システム。
【請求項７】
請求項３において、前記健康体情報は歩数情報であり、前記コンピュータ部は、夜の時間帯に前記健康状態情報検出器からの健康状態情報が一定時間以上途絶えたときに、高齢者が戸外に出たと判断する判断手段を有し、前記コンピュータ部は緊急情報を介護センターに向けて送信することを特徴とする介護システム。
【請求項８】
請求項１において、前記コンピュータ部は健康状態情報の平均値を演算する演算手段と、前記健康状態情報検出器から前記コンピュータ部に送信された健康状態情報の数値と前記健康状態情報の平均値との差を演算する演算手段と、その差が所定値以上であるか否かを判断する判断手段とを有し、前記コンピュータ部はその差が所定値以上のときに緊急事態と判断して前記介護センターに自動的に緊急事態であることを通信することを特徴とする介護システム。
【請求項９】
請求項１において、前記健康状態情報検出器は、緊急ボタンと該緊急ボタンが所定時間押されているか否かを判断する判断手段とを有し、該判断手段は緊急ボタンが所定時間押されたときに、前記コンピュータ部に向けて緊急信号を送信し、該コンピュータ部は前記緊急信号に基づいて前記介護センターに向けて緊急情報を送信することを特徴とする介護システム。
【請求項１０】
請求項９において、前記解析装置は緊急情報に応答する応答情報を前記コンピュータ部に向けて送信し、前記健康状態情報検出器は、前記応答情報に対応して点滅する点滅ランプと、音声交信用のマイクと、音声をデジタル化するデジタル化手段とを有し、前記マイクを介して介護センターと交信できることを特徴とする介護システム。
【発明の詳細な説明】
【０００１】
【発明の属する技術分野】
本発明は、高齢者の健康状態の管理を介護センターで効率よく行うことができると共に、介護コストの低減化を図ることのできる介護システムに関する。
【０００２】
【従来の技術】
近未来の高齢化社会の到来に伴って、高齢者の介護制度を充実させるべく、民官をあげて、高齢者介護のための各種の提案が為されつつある。例えば、配食在宅サービス、老衰等の病臥状態で常時床に臥せている高齢者対策としての市町村保健センターの整備、痴呆性高齢者のための治療、ケア施設の整備、ベルセンター等の民間の介護センターの設置等が行われている。
【０００３】
【発明が解決しようとする課題】
ところで、高齢者の介護システムでは、民間の介護センターの充実を図ることが望まれているが、しかしながら、民間の介護センターと個人的に契約を行うと、電話設備や端末機器を設置しなければならず、初期費用にコストがかかるうえに、また、費用のかかる割には、高齢者の介護を充実して行うことができず、高齢者の介護の充実を図れば図るほど、福祉コストがかかり、この福祉コストの低減を図ることが急務となっている。
【０００４】
本発明は、上記の事情に鑑みて為されたもので、その目的は、高齢者の介護の充実性を損なうことなく、福祉コストの低減化を図ることのできる介護システムを提供する。
【０００５】
【課題を解決するための手段】
請求項１に記載の介護システムは、健康状態情報を検出する健康状態情報検出部と健康状態情報を送信する送信部とからなる計器本体部に腕バンドが設けられている健康状態情報検出計器と、電力量計に設けられて前記健康状態情報検出計器から送信された健康状態情報を一時的に保存すると共に前記電力量計の自動検針に用いられるコンピュータ部と、介護センターに設けられかつ前記コンピュータ部に一時的に保存されている健康状態情報を受け取って健康状態を解析する解析手段とからなり、前記電力量計には前記コンピュータ部からの健康状態情報を電話交換網を通じて送信する送受信装置が設けられていることを特徴とする。
【０００６】
請求項２に記載の介護システムは、請求項１において、前記電力量計が設けられている建物の室内に、前記健康状態情報検出計器から送信された健康状態情報を受信して前記コンピュータ部に向かって送信する送受信器が設けられていることを特徴とする。
【０００７】
請求項３に記載の介護システムは、請求項１において、前記健康状態情報検出計器は定期的に前記健康状態情報を前記コンピュータ部に向けて送信し、前記コンピュータ部は前記定期的に送信された健康状態情報を前記記憶部に蓄積して、該健康状態情報の蓄積個数が所定値を越えると、前記介護センターに向けて前記記憶部に蓄積された健康状態情報を送信すると共に、前記記憶部に保存される健康状態情報をクリアすることにより更新することを特徴とする。
【０００８】
請求項１〜請求項３に記載の発明によれば、電力量計に将来的に設けられる電力量自動検針用のコンピュータを利用して、高齢者のための介護システムを構築できるので、介護に係わるコストを低下させることができる。
【０００９】
また、介護者が高齢者の自宅を訪問しなくとも介護センターにおいて、高齢者の健康状態を把握できる。
【００１０】
さらに、コンピューター部に健康状態情報を一時的に保存し、まとめて、介護センターに健康状態情報を送信することにしたので、常時通信に較べて、通信コストの低減化を図ることができると共に、そのコンピュータ部が本来担っている自動検針機能の役割をほとんど妨げることがない。
【００１１】
請求項４に記載の介護システムは、請求項１又は請求項３において、前記解析装置がパーソナルコンピュータであり、該パーソナルコンピュータから前記送受信装置に健康状態情報取得用のエージェントプログラムを送り、該エージェントプログラムによって前記コンピュータ部に保存されている健康状態情報を取得すると共に、前記記憶部に保存されている健康状態情報をクリアすることを特徴とする。
【００１２】
請求項４に記載の発明によれば、通信コストが安くて済み、多人数に対して回線混雑を避ける意味で有効である。また、特に重点的に介護を必要とする人の健康状態情報を定期的時間帯以外の時間帯でもこまめに取得できる。
【００１３】
請求項５に記載の介護システムは、請求項１において、前記健康状態情報検出器は、血圧情報、脈拍情報、腕の振り数情報、歩数情報の少なくも一つ以上を検出することを特徴とする。
【００１４】
請求項５に記載の介護システムによれば、血圧情報を介護センターに送信することにより、高齢者が、高血圧気味か、低血圧気味であるかの日毎、月毎の管理情報として役立てることができ、脈拍情報を介護センターに送信することにより、高齢者が貧脈気味であるのか、不整脈気味であるのかの日毎の、月毎の管理情報に役立てることができ、また、腕の振り数情報、歩数情報を介護センターに送信することにより、高齢者の日毎の、月毎の活動情報として役立てることができる。
【００１５】
とくに、血圧情報、脈拍情報を送信することにすると、血圧の低下、脈拍の低下を把握することにより、心臓の弱まりを経時的に判断でき、大事に至る前に高齢者の介護に向かうことができて望ましく、歩数情報、腕の振り数情報のいずれかを活動情報として送信することにより、高齢者の活動状況を知ることができて望ましい。
【００１６】
更に、活動情報と血圧情報と脈拍情報とのいずれかを組み合わせて介護センターで把握することにすると、あまり活動していないのに、普段血圧の低い人の血圧が異常に高くなった場合には、何らかの心理的異常が生じていると判断でき、歩数情報、腕の振り数情報が累積的に増加してかなり活動していると思われるときに、普段の血圧に較べて血圧が低くなりつつある場合には、脈拍数が少なくなりつつあるときには、心臓が弱まりつつあると判断でき、高齢者の日常の健康状態を管理できる。
【００１７】
請求項６に記載の介護システムは、請求項１において、前記健康状態情報が歩数情報であり、前記コンピュータ部が高齢者の夜の平均歩数を演算する演算手段と、夜の時間帯に前記コンピュータ部に送信されて来た歩数と前記平均歩数との差が所定値を越えたとき、高齢者が戸外に出たと判断する判断手段とを有し、前記コンピュータ部は前記歩数情報を介護センターに向けて送信することを特徴とする。
【００１８】
請求項７に記載の介護システムは、請求項３において、前記健康体情報は歩数情報であり、前記コンピュータ部は、夜の時間帯に前記健康状態情報検出器からの健康状態情報が一定時間以上途絶えたときに、高齢者が戸外に出たと判断する判断手段を有し、前記コンピュータ部は緊急情報を介護センターに向けて送信することを特徴とする。
【００１９】
請求項６、請求項７に記載の介護システムによれば、夜中にふらふらと外出して一人歩きをする高齢者の介護に有効であり、とくに、歩数情報を取得すれば、高齢者の歩幅を事前に知っておくことにより、高齢者が建物から半径何ｍのところにおられるかを知ることができ、非常の場合の介護に効果がある。
【００２０】
請求項８に記載の介護システムは、請求項１において、前記コンピュータ部は健康状態情報の平均値を演算する演算手段と、前記健康状態情報検出器から前記コンピュータ部に送信された健康状態情報の数値と前記健康状態情報の平均値との差を演算する演算手段と、その差が所定値以上であるか否かを判断する判断手段とを有し、前記コンピュータ部はその差が所定値以上のときに緊急事態と判断して前記介護センターに自動的に緊急事態であることを通信することを特徴とする介護システム。
【００２１】
請求項８に記載の介護システムによれば、緊急事態のときに迅速に対処することができる。
【００２２】
請求項９に記載の介護システムは、請求項１において、前記健康状態情報検出器は、緊急ボタンと該緊急ボタンが所定時間押されているか否かを判断する判断手段とを有し、該判断手段は緊急ボタンが所定時間押されたときに、前記コンピュータ部に向けて緊急信号を送信し、該コンピュータ部は前記緊急信号に基づいて前記介護センターに向けて緊急情報を送信することを特徴とする。
【００２３】
請求項９に記載の介護システムによれば、高齢者自身が緊急事態を通報できるので便利であり、また、一定時間以上緊急ボタンが押され続けないと、緊急情報が介護センターに送信されないので、誤作動を防止できる。
【００２４】
請求項１０に記載の介護システムは、請求項９において、前記解析装置は緊急情報に応答する応答情報を前記コンピュータ部に向けて送信し、前記健康状態情報検出器は、前記応答情報に対応して点滅する点滅ランプと、音声交信用のマイクと、音声をデジタル化するデジタル化手段とを有し、前記マイクを介して介護センターと交信できることを特徴とする。
【００２５】
請求項１０に記載の介護システムによれば、緊急事態のときに、介護センターと通話できるようになっているので、高齢者に安心感を与えることができて望ましい。
【００２６】
【発明の実施の形態】
以下に、本発明に係わる高齢者の介護システムを図面を参照しつつ説明する。
【００２７】
図１は本発明に係わる高齢者の介護システムの概要図を示し、図１において、１は無線通信回線用のＰＨＳ無線電話機、２は電柱３に設置の中継器、５は建物、６は電話交換機、７はプロバイダー、８はゲートウエイ会社、９はインターネット網、１０はプロバイダー、１１は介護センターである。建物５には引き込み線１２を介して電力が供給され、電力量計１３、図示を略す分電箱を介して各室内に電力が配分されるようになっている。
【００２８】
介護センター１１には高齢者の健康状態情報を解析する解析装置としてのパーソナルコンピュータ１１Ａが設けられている。介護センター１１はブロバイダーと契約を行って、既にパーソナルコンピュータ１１のＩＰアドレスを保有しているものとする。
【００２９】
電力量計１３にはＰＨＳ無線電話機１４が設けられている。１４Ａはそのアンテナである。この電力量計１３にはコンピュータ部１５が内蔵されている。分電箱内には、ノヒューズブレーカー（ＮＦＢ）、配分器（分岐ＮＦＢ）が収納され、室内配線１３Ａが各配分器（分岐ＮＦＢ）から各室内Ｒ１、Ｒ２、…に向けて引き出されている。
【００３０】
コンピュータ部１５は、図２に拡大して示すように、ＣＰＵ１６、記憶手段としての内蔵メモリ１７、入出力インターフェース１８、１９を備えている。ＰＨＳ無線電話機１４とＣＰＵ１６とはモデム装置２０、入出力インターフェース１８を介して信号の授受を行う。このコンピュータ部１５のＩＰアドレスは、例えば電力会社とブロバイダーとの契約で決められているものとする。
【００３１】
ここでは、このコンピュータ部１５は、高齢者の介護システムのみに用いるものではなく、室内機器の管理制御、電力量計の自動検針に用いられるものとする。
【００３２】
内蔵メモリ１７には、オペレーティングシステム、通信プログラム、解析プログラムが記憶されている。解析プログラムはＰＨＳ無線電話機１からの通信データを解析しかつ制御対象を特定するための特定コードデータ（ＩＤコードデータ）で指定された制御対象の制御コード（制御内容）を解析する。内蔵メモリ１７には、「ＯＮ」と「ＯＦＦ」の二状態を少なくとも呈する制御対象としての給電用アダプタ（図３、図４参照）の状態を記憶するための状態記憶アドレスを保持している。給電用アダプタは通常複数個であり、その詳細構成については後述する。
【００３３】
コンピュータ部１５は、上述のように電力量の自動検針に用いられる他、室内機器の管理、制御に用いられる。ここで、室内機器とは冷蔵庫、電気こたつ、蛍光灯、テレビジョン、ビデオテープレコーダ、空調器（クーラー）、扇風機、パーソナルコンピュータ等の家電機器一般をいう。今日のソフトウエアの技術をもってすると、電力量を自動検診するプログラムを作成することそれ自体は当業者にとって容易程度のことであり、また、この発明はこの電力量計１３に内蔵されたコンピュータ部１５を介護システムに利用することに意味があるのであって、自動検針そのものを発明の対象とするものではないので、自動検針の詳細については説明を省略する。
【００３４】
通信データは、例えば、制御すべき室内機器給電用アダプタを特定するためのＩＤコードデータ「ＩＤ＊＊」と、制御内容を指示するための制御コードデータとを含んでいる。「＊＊」は「０１」から「９９」までの数字であり、制御すべき給電用アダプタの番号を意味している。制御コードデータは例えば先頭が「＃」で始まる。
【００３５】
この制御コードには、例えば、内蔵メモリ１７に制御すべき給電用アダプタを設定するための設定コード「＃％」、内蔵メモリ１７の状態記憶アドレスから制御すべき給電用アダプタの状態データを呼び出して、この状態データを発信者に送信するための状態確認コード「＃！」、給電用アダプタの状態制御を行う「＃Ｓ」からなる。内蔵メモリ１７の状態記憶アドレスには、オン又はオフの状態データが記憶される。
【００３６】
ＰＨＳ無線電話機１のプッシュボタンを操作して自宅のＰＨＳ無線電話機１４に電話をかけると、ＰＨＳ無線電話機１とＰＨＳ無線電話機１４とが双方向通信状態となる。コンピュータ部１５はこの電話を受付け、通信データ入力待ちの状態となる。ＰＨＳ無線電話機１から例えば「ＩＤ０１＃％」の通信データを送信すると、コンピュータ部１５は内蔵メモリ１７に状態記憶アドレスを設定する。また、状態記憶アドレスの状態データ（内容）を例えば「オフ」に設定する。この設定処理後、コンピュータ部１５は状態記憶アドレス設定完了をＰＨＳ無線電話機１４に送信し、この状態記憶アドレス設定完了がＰＨＳ無線電話機１に送信される。その後、コンピュータ部１５は次の通信データ入力待ちの状態となる。
【００３７】
ＰＨＳ無線電話機１のプッシュボタンを操作して自宅のＰＨＳ無線電話機１４に電話をかけ、例えば「ＩＤ０１＃！」の通信データを送信すると、コンピュータ部１５は内蔵メモリ１７の状態記憶アドレス「××」から状態データ「オン」又は「オフ」を呼び出し、この状態データをＰＨＳ無線電話機１４を経由してＰＨＳ無線電話機１に送信する。ＰＨＳ無線電話機１の液晶表示盤には「オフ」又は「オン」が表示される。発信者はこれにより制御すべき室内機器給電用アダプタ（ここでは、番号１（符号Ｒ１１で示す））の状態を確認できる。
【００３８】
ＰＨＳ無線電話機１のプッシュボタンを操作して自宅のＰＨＳ無線電話機１４に電話をかけ、例えば「ＩＤ０１＃Ｓ」の通信データを送信すると、コンピュータ部１５は給電用用アダプタと交信可能状態となる。その後、コンピュータ部１５は状態変更コード「オフ」又は「オン」の入力待ちの状態となる。通信データ「ＩＤ０１＃Ｓ」に引き続いて制御コードとしての状態変更コード、例えば、「オフ」を受信すると、コンピュータ部１５は自己を特定するためのＩＤコード「ＩＤ＊＊」と状態変更コード「オフ」とからなる通信データを作成して、この通信データを入出力インターフェース１９、モデム２１、カップリングコンデンサ２２ａを介して室内配線１３Ａに向けて送信する。この通信データは室内配線１３Ｂ、室内配線１３Ｃ、…を経由して室内に設置の給電用アダプタＲ１１、Ｒ１２に送信される。
【００３９】
給電用アダプタＲ１１、Ｒ１２、…は、図４に拡大して示すように、室内コンセント２２に差し込まれる差込みプラグ２３と、室内機器に給電を行う差込みプラグ２４が差し込まれる給電用コンセント２５と、差込みプラグ２３と給電用コンセント２５とを接続する給電線２６と、給電線２６の途中に設けられてこれを断続するスイッチ２７とを備えている。
【００４０】
室内機器給電用アダプタ２１の内部には、交流電圧を直流電圧に変換する電源電圧部２８、バックアップ用直流電池２９、コントローラ部３０が設けられている。バックアップ用直流電池２９は電源電圧部２８により充電され、停電時に用いられる。
【００４１】
コントローラ部３０は室内配線１３Ａを通じて制御対象としての自己を特定するための特定コードデータと制御コードデータとを少なくとも含む通信データを受信する送受信部３１と、送受信部３１からの通信データを解析して制御コードデータ（状態変更コードデータ）に基づきスイッチ２７をオン・オフ制御すると共に応答結果としての状態データ（オンデータ、又はオフデータ）と特定コードデータとにより通信データを作成して送受信部３１に出力する通信制御部３２とを有する。３３はその通信制御部３２のＣＰＵである。送受信部３１は給電線２６にカップリングコンデンサ３１Ａ、カップリングトランス３１Ｂを介して結合されている。
【００４２】
ＣＰＵ３３は制御コードデータに基づいて制御信号を入出力インタフェース３４を介してスイッチ２７に出力し、状態変更コードデータが「オフ」の時、スイッチ２７をオフし、状態変更コードデータが「オン」の時、スイッチ２７を「オン」する。
【００４３】
給電線２６にはオンオフ状態検出センサとして例えば電流変成器（カレントトランスフォーマー）３５が設けられ、差込みプラグ２４がコンセント２５に差し込まれて室内機器が作動中の時にスイッチ２７がオンオフされると、この電流変成器３５は電流の断続を検出して、この検出信号をコントローラ部３０に送信する。従って、応答結果がコントローラ部３０に入力される。
【００４４】
コントローラ部３０はこの応答結果としての状態データと特定コードデータとにより通信データを作成してコンピュータ部１１に送信する。コンピュータ部１５はその状態データを内蔵メモリ１４に記憶させると共に、ＰＨＳ無線電話機１４を介して状態データをＰＨＳ無線電話機１に向けて送信する。
【００４５】
従って、ＰＨＳ無線電話機１によりＰＨＳ無線電話機１４を呼び出して、例えば「ＩＤ０１＃Ｓオン」からなる通信データをコンピュータ部１５に送信すると、コンピュータ部１５はこの特定コードデータと制御コードデータとからなる通信データの内容を解析し、コンピュータ部１５はこの特定コードデータと制御コードデータとからなる通信データ「ＩＤ０１＃Ｓオン」を室内配線１３Ａを通じて室内機器給電用アダプタＲ１１に送信する。室内機器給電用アダプタＲ１１の通信制御部３２はこの受信した通信データ「ＩＤ０１＃Ｓオン」を解析し、特定コードデータ「ＩＤ０１」により自己が特定されたことを確認し、状態変更コードデータ「オン」により、制御信号をスイッチ２７に向けて出力する。これにより、スイッチ２７がオフからオンになる。
【００４６】
例えば、電流変成器３５は応答結果を状態データとしてコントローラ部３０に出力する。コントローラ部３０はこの応答結果を受けると、特定コードデータと状態データとにより通信データを作成してコンピュータ部１５に室内配線１３Ａを介して返信する。
【００４７】
コンピュータ部１５はこの通信データを解析して発信者に向けて発信すべき通信データを作成し、送受信装置としてのＰＨＳ無線電話機１４に出力する。ＰＨＳ無線電話機１４はその通信データをＰＨＳ無線電話機１に送信し、これにより、発信者は給電用アダプタＲ１１の状態をオフからオンに変更できると共に、その結果を知ることができる。
【００４８】
ここでは、コンピュータ部１５は給電用アダプタを介して室内機器のオン・オフ制御の役割を担わせることにしているが、室内機器のオン・オフ制御も本発明の直接の対象ではなく、室内機器のオン・オフ制御機能を有してなくとも本発明は成り立つものである。
【００４９】
この給電用アダプタＲ１１、Ｒ１２は送受信センサ３５と光通信モジュール３６とを有する。この光受信センサ３５と光通信モジュール３６とは、後述する健康状態情報検出器との通信制御に用いられる。光通信モジュール３６は光信号（赤外線信号）を電気信号に変換する役割を有する。
【００５０】
送受信センサ３５はここでは赤外線を送受信するものとする。この送受信センサ３５は図５（イ）、（ロ）に示す健康状態情報検出器３７との間で、情報の授受を行う。ここでは、健康状態情報検出器３７は、健康状態を総合的に判定するために、歩数の計測と、１分間当たりの脈拍数の計測と、設定時刻における血圧の計測とを行うことができるようになっている。しかし、脈拍数の計測のみ、歩数の計測のみ、血圧の計測のみであっても良いし、脈拍数の計測と歩数の計測との組み合わせ、歩数の計測と血圧の計測との組み合わせ、脈拍数の計測と歩数の計測との組み合わせであっても良い。
【００５１】
その健康状態情報検出器３７は計器本体部３８と可撓性バンド部３９とから概略なっている。その計器本体部３８には時刻表示部４０、送受信センサ４１、諸設定ボタン４２〜４４、リセットボタン４５、緊急ボタン４６、図示を略す電池等を有する。
【００５２】
バンド部３７は、血圧測定用カフとして用いられ、図５（ロ）に示すように空気室４７が設けられている。そのバンド部３７の両側には電磁マグネット４８、４９が設けられている。そのバンド部３７には脈拍センサ５０、血圧センサ５１が設けられ、計器本体部３８には歩数センサ５２が設けられている。ここでは、健康状態情報検出器３７は、図６にブロック図として示すように、処理回路５３、計時回路５４、メモリ５５、マイク５６を有する他、電磁マグネット４８、４９へ通電制御を行う機能を有する。
【００５３】
この健康状態情報検出器３７を腕の脈どころに設ければ、脈拍数、血圧が計測される一方、歩数の代わりに腕の振り数が計測され、足首の脈どころに設ければ、脈拍数、血圧が計測されると共に歩数が計測される。
【００５４】
この健康状態情報検出器３７は、介護センター１１と契約すると、介護センター１１から提供される。この健康状態情報検出器３７は、図７に示すように、リセットボタン４５を操作してリセットし、諸設定ボタン４２〜４４を操作することにより、各種の初期設定が行われる（Ｓ．１）。この初期設定は介護センター１１の側で行われる。この初期設定には、高齢者を特定するためのＩＤも含まれている。
【００５５】
これにより、健康状態情報検出器３７は計測可能状態となり、時刻ｔ１か否かをまず判定する（Ｓ．２）。この時刻ｔ１は血圧測定を定期的に行うために定められたもので、時刻ｔ１になると、処理回路５３は血圧測定を実行する（Ｓ．４）。すなわち、処理回路５３は電磁マグネット４８、４９へ通電を行って、互にマグネットの吸着力を強めて空気室４７を加圧し、血圧センサ５１の血圧情報を取得する。処理回路５３は血圧センサ５１から血圧情報が取得されると、これを処理して、送信センサ４１Ａから血圧情報を例えば給電用アダプタＲ１２に向けて送信する（Ｓ．５）。
【００５６】
Ｓ．２において、ノーときは、Ｓ．３に移行して、時刻ｔ．２であるか否かを判定し、時刻ｔ．２でイエスのときは、同様にＳ．４に移行して血圧測定を実行し、血圧情報を送信する（Ｓ．５）。すなわち、処理回路５３は１日２回血圧測定を実行することになる。高齢者が戸外におられるときとか、健康状態情報検出器３７を腕から外しているときには、血圧情報を受信できないときがあるが、これらは、データの欠落として取り扱えば良い。
【００５７】
次に、処理回路５３は脈拍数をクリアし（Ｓ．６）、歩数カウントがされたか否かを判断し、イエスのときは歩数累積カウント処理を実行し（Ｓ．８）、ノーときは脈拍数がカウントされたか否かを判断し（Ｓ．９）、イエスのときは脈拍数累積カウント処理を実行し（Ｓ．１０）、ノーのときは１分経過したか否かを判断し（Ｓ．１１）、Ｓ．１１において、ノーのときは、Ｓ．７〜Ｓ．１１の処理を実行し、Ｓ．１１において、１分を経過すると、緊急ボタン４６が押されているか否かを判断する。Ｓ．１２において、ノーのときは、処理回路５３は歩数カウント情報、１分毎の脈拍数情報を送信し（Ｓ．１３）、Ｓ．２に戻り、再びＳ．２以降の処理を実行し、これによって、１分毎に歩数カウント情報、脈拍数情報が給電用アダプタＲ１１に向けて送信される。
【００５８】
処理回路５３は、Ｓ．１２において、イエスと判断すると、Ｓ．１４に移行して所定時間が経過したか否かを判断し、Ｓ．１４において、ノーのときは、何らかの間違いで緊急ボタン４６が押されたと判断して、Ｓ．２に移行し、Ｓ．１４において、所定時間経過したと判断されると、緊急信号を送信して（Ｓ．１５）、Ｓ．２に戻る。この緊急信号についての処理については、コンピュータ部１５の作用と共に説明する。
【００５９】
給電用アダプタＲ１１、Ｒ１２、…は、脈拍数情報、歩数カウント情報、血圧情報を受信すると、これらと共に高齢者を特定するＩＤコードデータ「ＩＤ…」を室内配線１３Ａを介してコンピュータ部１５に向けて送信する。
【００６０】
コンピュータ部１５は図８に示すように給電用アダプタからの信号を受信すると、緊急信号か否かを判断し（Ｓ．２０）、緊急信号のときには、ＰＨＳ無線通話器１４に向けて介護センター１１と電話回線を接続する指令を出力する。これにより、ＰＨＳ無線通話器１４と介護センター１１との電話回線が接続される。そして、緊急情報がＰＨＳ無線通話器１４、中継器２、電話交換機６、ブロバイダー７、ゲートウエイ会社８、インターネット９、ブロバイダー１０を経由してパーソナルコンピュータ１１Ａに送信される。
【００６１】
介護センター１１では、緊急情報を受信したときには、ＰＨＳ無線通話器（図示を略す）によりＰＨＳ無線通話器１４に電話をかけ、回線が接続されると、その緊急情報を発した高齢者に問いかけを行う。コンピュータ部１５は、その通話内容を解析し、室内配線１３Ａを通じて給電用アダプタに送信し、給電用アダプタはその通話情報を送受信センサ３５により送信する。
【００６２】
健康状態情報検出器３７は緊急信号が発せられると通話モードとなり、その通話情報を受信して、これをマイク５６により音声に変換する。これにより、会話を行うことができる。
【００６３】
なお、ここでは、健康状態情報検出器３７にマイク機能を持たせたが、緊急信号を受信したことを意味する応答情報を介護センター１１から無線通話器１４に向けて送信し、健康状態情報検出器３７には、応答情報を意味する緑色ランプ等を設けてこれを点滅させることにしても良いし、緊急信号を受信したときには、通常の有線電話により、その高齢者の自宅に電話をかけるようにしても良い。
【００６４】
コンピュータ部１５は、次に、Ｓ．２２に移行して、自動検針を行うか否かを判断し、自動検針指令があったときには電力量の自動検針を実行し（Ｓ．２３）、自動検針指令がなかったときには、内蔵メモリ１７に累積歩数情報、１分ごとの脈拍数、血圧情報を蓄積する（Ｓ．２４〜Ｓ．２６）。
【００６５】
次に、コンピュータ部１５は夜の時間帯（例えば、午後１０時以降〜午前５時）であるのか否かを判断し（Ｓ．２７）、夜の時間帯に入ったときには、累積歩数と平均値との差が所定値を越えたか否かを判断する（Ｓ．２８）。
【００６６】
夜の時間帯の累積歩数の平均値の演算は、例えば、コンピュータ部１５に行わせるようにしても良いし、処理回路５３に行わせるようにしても良い。夜の時間帯に、コンピュータ部１５は累積歩数と平均値との差が所定値を越えたときには、介護センター１１に向けて緊急指令信号を送信する（Ｓ．２９）。これにより、痴呆性高齢者の夜の一人歩きの防止の一助となる。
【００６７】
次に、コンピュータ部１５は３０分経過したか否かを判断し（Ｓ．３０）、ノーのときはＳ．２０に戻って同様の処理を実行し、イエスのときは内蔵メモリ１７に蓄積されている健康状態情報を介護センター１１に向けて送信し（Ｓ．３１）、内蔵メモリ１７に蓄積されている健康状態情報をクリアした後（Ｓ．３２）、Ｓ．２０に戻って同様の処理を行う。
【００６８】
これにより、高齢者の健康状態情報が３０分ごとに定期的に介護センターに向けて送信され、高齢者の日常の健康状態の管理に役立てられる。
【００６９】
この発明の実施の形態では、健康状態情報検出器３７に血圧の計測と、脈拍数の計測と、歩数の計測との全ての機能を持たせることにして説明したが、歩数計５６を別に設ける構成としても良い。
【００７０】
例えば、歩数計５６を処理回路５７、歩数センサ５８、諸設定ボタン５９、表示部６０、送信部６１により構成し、健康状態情報検出器３７に受信部６２を設け、送信部６１から歩数情報をカウントとするごとに受信部６２に向けて送信する構成としても良い。このように構成すると、健康状態情報検出器３７を腕に取り付け、歩数計５６を腰に取り付けると、歩数、腕の振り数、脈拍、血圧を測定できることになる。
【００７１】
また、この発明の実施の形態では、定期的に健康状態情報をコンピュータ部１５から介護センター１１のパーソナルコンピュータ１１Ａに向けて健康状態情報を送信する構成としたが、介護センター１１の側から健康状態情報を取得するエージェントプログラムをコンピュータ部１５に向けて送信し、コンピュータ部１５の内蔵メモリ３７に蓄積されている健康状態情報を取得する構成としても良い。このようにすると、不定期的に健康状態情報を取得することができる。
【００７２】
更に、この発明の実施の形態では、コンピュータ部３５は３０分ごとに健康状態情報を介護センターに向けて送信することにしたが、内蔵メモリ１７に蓄積された健康状態情報の蓄積個数が所定個数を越えると、内蔵メモリ１７に蓄積されている健康状態情報を介護センター１１に向けて送信し、内蔵メモリ１７に蓄積されている健康状態情報をクリアして、更新するようにしても良い。
【００７３】
加えて、この発明の実施の形態では、夜の時間帯に、累積歩数と平均値との差が所定値を超えると、コンピュータ部１５が緊急指令信号を発するようにしているが、夜の時間帯に、健康状態情報の送信が一定時間以上途絶えたときに、高齢者が戸外に出たと判断して緊急信号を介護センターに向けて送信することにしても良い。
【００７４】
この他、この発明の実施の形態では、健康状態情報検出器３７と給電用アダプタとの間で、赤外線無線通信により情報の交信を行うようにしたが、トランシーバモードでＰＨＳ無線通話器１４と交信を行う構成とすることもできる。
【００７５】
【発明の効果】
本発明によれば、電力量計に将来的に設けられる電力量自動検針用のコンピュータを利用して、高齢者のための介護システムを構築できるので、介護に係わるコストを低下させることができ、また、介護者が高齢者の自宅を訪問しなくとも介護センターにおいて、高齢者の健康状態を把握でき、さらに、コンピューター部に健康状態情報を一時的に保存し、まとめて、介護センターに健康状態情報を送信することにしたので、常時通信に較べて、通信コストの低減化を図ることができると共に、そのコンピュータ部が本来担っている自動検針機能の役割をほとんど妨げることがなく、従って、高齢者の介護の充実を図りつつ介護コストを低減させることができる。
【図面の簡単な説明】
【図１】  本発明に係わる介護システムの概要図である。
【図２】  図１に示す電力量計のコンピュータ部の詳細構成を示すブロック図である。
【図３】  図１に示す給電アダプタの概要図である。
【図４】  図３に示す給電アダプタの詳細構成を示す回路図である。
【図５】  図１に示す健康状態情報検出器の概略構成を示す図であって、（イ）はその平面図、（ロ）はその断面図である。
【図６】  図５に示す健康状態情報検出器の回路構成を示すブロック図である。
【図７】  図５に示す健康状態情報検出器の作用を説明するためのフローチャートである。
【図８】  図１に示すコンピュータ部の作用を説明するためのフローチャートである。
【図９】  図５に示す健康状態情報検出器の他の例を示すブロック図である。
【符号の説明】
１１  介護センター
１１Ａ  パーソナルコンピュータ（解析装置）
１３  電力量計
１４  ＰＨＳ無線通話器（送受信装置）
１５  コンピュータ部
３７  健康状態情報検出器
【図１】
0004244256.tif 000002
【図２】
0004244256.tif 000003
【図３】
0004244256.tif 000004
【図４】
0004244256.tif 000005
【図５】
0004244256.tif 000006
【図６】
0004244256.tif 000007
【図７】
0004244256.tif 000008
【図８】
0004244256.tif 000009
【図９】
0004244256.tif 000010